【手続補正書】
【提出日】令和2年7月16日(2020.7.16)
【手続補正１】
【補正対象書類名】特許請求の範囲
【補正対象項目名】全文
【補正方法】変更
【補正の内容】
【特許請求の範囲】
【請求項１】
通信装置であって、
第１の通信方式で撮像装置と通信する第１の通信手段と、
前記第１の通信方式と異なる第２の通信方式で、撮像装置と通信する第２の通信手段と、
第３の通信方式でサーバ装置と通信する第３の通信手段と、
前記第３の通信手段を介して前記サーバ装置と通信可能な場合に、前記サーバ装置から更新情報を受信するよう制御する受信手段と、
前記更新情報に基づき新たなファームウェアがあるか否かを判断する判断手段と、
前記判断手段によって新たなファームウェアがあると判断された場合、ユーザに新たなファームウェアの存在を通知する通知手段と、
前記ユーザから前記新たなファームウェアのダウンロードの指示を受け付けた場合、前記サーバ装置から前記第３の通信手段を介して前記新たなファームウェアをダウンロードするとともに、前記新たなファームウェアをダウンロードしている間、前記ユーザに、前記新たなファームウェアのダウンロードの進捗状況を通知するよう制御し、
前記新たなファームウェアのダウンロードが完了した後に、前記第１の通信手段を介して前記撮像装置からファームウェアのアップデートを指示された場合、前記第２の通信手段を介して前記撮像装置に前記新たなファームウェアを送信するとともに、前記新たなファームウェアを送信している間、前記ユーザに前記新たなファームウェアの送信の進捗状況を通知するよう制御する制御手段とを有し、
前記第１の通信手段の消費電力は前記第２の通信手段の消費電力よりも小さく、
前記第３の通信手段の通信範囲は、前記第２の通信手段および前記第１の通信手段の通信範囲よりも広く、
前記第２の通信手段を介した前記通信装置と前記撮像装置の接続は、前記第１の通信手段を介して前記撮像装置と前記通信装置との間で共有される情報に基づき確立されることを特徴とする通信装置。
【請求項２】
前記新たなファームウェアのダウンロードの進捗と、前記新たなファームウェアの前記撮像装置への送信の進捗は区別可能な態様で通知することを特徴とする請求項１に記載の通信装置。
【請求項３】
前記新たなファームウェアを用いた更新処理の進捗状況を前記撮像装置から受信することを特徴とする請求項１または２に記載の通信装置。
【請求項４】
前記新たなファームウェアの送信が完了した場合、前記更新処理の開始の前に前記第２の通信手段による前記撮像装置との接続を切断することを特徴とする請求項３に記載の通信装置。
【請求項５】
前記新たなファームウェアの送信が完了した後も、前記新たなファームウェアを保持することを特徴とする請求項１乃至４のいずれか１項に記載の通信装置。
【請求項６】
前記第１の通信手段を介して前記撮像装置から現在のファームウェアに関する情報を受信し、
前記第３の通信手段を介して前記サーバ装置から受信した更新情報が、前記撮像装置の現在のファームウェアとは異なる場合、前記判断手段は、新たなファームウェアがあると判断することを特徴とする請求項１乃至５のいずれか１項に記載の通信装置。
【請求項７】
前記制御手段は、プログレスバーを表示部に表示することで前記新たなファームウェアのダウンロードの進捗状況をユーザに通知することを特徴とする請求項１乃至６のいずれか１項に記載の通信装置。
【請求項８】
第１の通信方式で撮像装置と通信する第１の通信手段と、前記第１の通信方式と異なる第２の通信方式で、撮像装置と通信する第２の通信手段と、第３の通信方式でサーバ装置と通信する第３の通信手段と、を有する通信装置が実行する情報処理方法であって、
前記通信装置は、
前記第１の通信手段の消費電力は前記第２の通信手段の消費電力よりも小さく、
前記第３の通信手段の通信範囲は、前記第２の通信手段および前記第１の通信手段の通信範囲よりも広く、
前記第２の通信手段を介した前記通信装置と前記撮像装置の接続は、前記第１の通信手段を介して前記撮像装置と前記通信装置との間で共有される情報に基づき確立し、
前記情報処理方法は、
前記第３の通信手段を介して前記サーバ装置と通信可能な場合に、前記サーバ装置から更新情報を受信するよう制御するステップと、
前記更新情報に基づき新たなファームウェアがあるか否かを判断するステップと、
新たなファームウェアがあると判断された場合、ユーザに新たなファームウェアの存在を通知するステップと、
前記ユーザから前記新たなファームウェアのダウンロードの指示を受け付けた場合、前記サーバ装置から前記第３の通信手段を介して前記新たなファームウェアをダウンロードするとともに、前記新たなファームウェアをダウンロードしている間、前記ユーザに、前記新たなファームウェアのダウンロードの進捗状況を通知するよう制御するステップと、
前記新たなファームウェアのダウンロードが完了した後に、前記第１の通信手段を介して前記撮像装置からファームウェアのアップデートを指示された場合、前記第２の通信手段を介して前記撮像装置に前記新たなファームウェアを送信するとともに、前記新たなファームウェアを送信している間、前記ユーザに前記新たなファームウェアの送信の進捗状況を通知するよう制御するステップとを含むことを特徴とする情報処理方法。
【請求項９】
前記新たなファームウェアのダウンロードの進捗と、前記新たなファームウェアの前記撮像装置への送信の進捗は区別可能な態様で通知することを特徴とする請求項８に記載の情報処理方法。
【請求項１０】
前記新たなファームウェアを用いた更新処理の進捗状況を前記撮像装置から受信することを特徴とする請求項８または９に記載の情報処理方法。
【請求項１１】
前記新たなファームウェアの送信が完了した場合、前記更新処理の開始の前に前記第２の通信手段による前記撮像装置との接続を切断することを特徴とする請求項１０に記載の情報処理方法。
【請求項１２】
前記新たなファームウェアの送信が完了した後も、前記新たなファームウェアを保持することを特徴とする請求項８乃至１１のいずれか１項に記載の情報処理方法。
【請求項１３】
前記第１の通信手段を介して前記撮像装置から現在のファームウェアに関する情報を受信し、
前記第３の通信手段を介して前記サーバ装置から受信した更新情報が、前記撮像装置の現在のファームウェアとは異なる場合、新たなファームウェアがあると判断することを特徴とする請求項８乃至１２のいずれか１項に記載の情報処理方法。
【請求項１４】
プログレスバーを表示部に表示することで前記新たなファームウェアのダウンロードの進捗状況をユーザに通知することを特徴とする請求項８乃至１３のいずれか１項に記載の情報処理方法。
【請求項１５】
第１の通信方式で撮像装置と通信する第１の通信手段と、前記第１の通信方式と異なる第２の通信方式で、撮像装置と通信する第２の通信手段と、第３の通信方式でサーバ装置と通信する第３の通信手段と、を有する通信装置のコンピュータに各ステップを実行させるためのプログラムであって、
前記通信装置は、
前記第１の通信手段の消費電力は前記第２の通信手段の消費電力よりも小さく、
前記第３の通信手段の通信範囲は、前記第２の通信手段および前記第１の通信手段の通信範囲よりも広く、
前記第２の通信手段を介した前記通信装置と前記撮像装置の接続は、前記第１の通信手段を介して前記撮像装置と前記通信装置との間で共有される情報に基づき確立し、
前記プログラムは、
前記第３の通信手段を介して前記サーバ装置と通信可能な場合に、前記サーバ装置から更新情報を受信するよう制御するステップと、
前記更新情報に基づき新たなファームウェアがあるか否かを判断するステップと、
新たなファームウェアがあると判断された場合、ユーザに新たなファームウェアの存在を通知するステップと、
前記ユーザから前記新たなファームウェアのダウンロードの指示を受け付けた場合、前記サーバ装置から前記第３の通信手段を介して前記新たなファームウェアをダウンロードするとともに、前記新たなファームウェアをダウンロードしている間、前記ユーザに、前記新たなファームウェアのダウンロードの進捗状況を通知するよう制御するステップと、
前記新たなファームウェアのダウンロードが完了した後に、前記第１の通信手段を介して前記撮像装置からファームウェアのアップデートを指示された場合、前記第２の通信手段を介して前記撮像装置に前記新たなファームウェアを送信するとともに、前記新たなファームウェアを送信している間、前記ユーザに前記新たなファームウェアの送信の進捗状況を通知するよう制御するステップとをコンピュータに実行させるためのプログラム。
【手続補正２】
【補正対象書類名】明細書
【補正対象項目名】０００６
【補正方法】変更
【補正の内容】
【０００６】
そこで、本発明は、通信装置であって、第１の通信方式で撮像装置と通信する第１の通信手段と、前記第１の通信方式と異なる第２の通信方式で、撮像装置と通信する第２の通信手段と、第３の通信方式でサーバ装置と通信する第３の通信手段と、前記第３の通信手段を介して前記サーバ装置と通信可能な場合に、前記サーバ装置から更新情報を受信するよう制御する受信手段と、前記更新情報に基づき新たなファームウェアがあるか否かを判断する判断手段と、前記判断手段によって新たなファームウェアがあると判断された場合、ユーザに新たなファームウェアの存在を通知する通知手段と、前記ユーザから前記新たなファームウェアのダウンロードの指示を受け付けた場合、前記サーバ装置から前記第３の通信手段を介して前記新たなファームウェアをダウンロードするとともに、前記新たなファームウェアをダウンロードしている間、前記ユーザに、前記新たなファームウェアのダウンロードの進捗状況を通知するよう制御し、前記新たなファームウェアのダウンロードが完了した後に、前記第１の通信手段を介して前記撮像装置からファームウェアのアップデートを指示された場合、前記第２の通信手段を介して前記撮像装置に前記新たなファームウェアを送信するとともに、前記新たなファームウェアを送信している間、前記ユーザに前記新たなファームウェアの送信の進捗状況を通知するよう制御する制御手段とを有し、前記第１の通信手段の消費電力は前記第２の通信手段の消費電力よりも小さく、前記第３の通信手段の通信範囲は、前記第２の通信手段および前記第１の通信手段の通信範囲よりも広く、前記第２の通信手段を介した前記通信装置と前記撮像装置の接続は、前記第１の通信手段を介して前記撮像装置と前記通信装置との間で共有される情報に基づき確立されることを特徴とする。
【手続補正３】
【補正対象書類名】明細書
【補正対象項目名】００１２
【補正方法】変更
【補正の内容】
【００１２】
カメラ１００の第１通信部１０１及び端末装置１１０の第１通信部１１１は、例えば、ＩＥＥＥ８０２．１５の規格に準拠したＢｌｕｅｔｏｏｔｈに応じた近距離無線通信を行う。このＢｌｕｅｔｏｏｔｈ通信により、カメラ１００と端末装置１１０は無線通信を行うことができる。Ｂｌｕｅｔｏｏｔｈ通信は、Ｂｌｕｅｔｏｏｔｈ  Ｌｏｗ  Ｅｎｅｒｇｙ（以下、ＢＬＥと記述する）を用いるものとする。このＢＬＥ通信は、Ｗｉ−Ｆｉ通信と比較して通信可能な範囲が狭い（つまり、通信可能な距離が短い）。また、ＢＬＥ通信は、Ｗｉ−Ｆｉ通信と比較してその通信速度が遅い。一方、ＢＬＥ通信は、Ｗｉ−Ｆｉ通信と比較してその消費電力が低いことを特徴としている。このように、カメラ１００の第１通信部１０１と第２通信部１０２は、異なる通信方式での通信を行う。同様に、端末装置１１０の第１通信部１１１と第２通信部１１２も、異なる通信方式での通信を行う。
【手続補正４】
【補正対象書類名】明細書
【補正対象項目名】００３６
【補正方法】変更
【補正の内容】
【００３６】
端末装置１１０は、Ｓ５０９の処理の後、Ｓ５１１において、ユーザ操作に応じて更新の開始指示を受け付けたか否かを確認する。端末装置１１０は、指示を受け付けたと判断した場合には（Ｓ５１１でＹｅｓ）、処理をＳ５１２へ進める。端末装置１１０は、指示を受け付けなかったと判断した場合には（Ｓ５１１でＮｏ）、処理をＳ５１６へ進める。Ｓ５１２において、端末装置１１０は、更新の開始指示をカメラ１００に送信し、その後処理をＳ５１６へ進める。
【手続補正５】
【補正対象書類名】明細書
【補正対象項目名】００４１
【補正方法】変更
【補正の内容】
【００４１】
一方、端末装置１１０は、Ｓ５２０で更新処理の進捗状況を受信すると、Ｓ５２４において、更新処理の進捗状況を表示部１１３に表示するよう制御する。Ｓ５２４の処理により、表示部１１３には、図６（ｄ）に示す進捗画面６０４が表示される。進捗画面６０４には、進捗状況を示すプログレスバーが表示されている。Ｓ５２４の処理の後、Ｓ５２５において、端末装置１１０は、カメラ１００から完了通知を受信したか否かを確認する。端末装置１１０は、完了通知を受信しなかったと判断した場合には（Ｓ５２５でＮｏ）、処理をＳ５２０へ進める。この場合には、カメラ１００は、Ｓ５２０においてカメラ１００から進捗状況を受信するのを待ち、進捗状況を受信すると、Ｓ５２４において、更新処理の進捗状況の表示を更新する。端末装置１１０は、Ｓ５２０、Ｓ５２４を繰り返すことで、進捗画面６０４の進捗状況の表示を順次更新することができる。
【手続補正６】
【補正対象書類名】明細書
【補正対象項目名】００４８
【補正方法】変更
【補正の内容】
【００４８】
また、第５の変形例としては、カメラ１００は、カメラ１００又は端末装置１１０における開始指示の入力を要することなく、サーバ装置１３０に新ファームウェアが存在することを条件として、自動的にダウンロードや更新処理を開始してもよい。
【手続補正７】
【補正対象書類名】明細書
【補正対象項目名】００５５
【補正方法】変更
【補正の内容】
【００５５】
図９のＳ９０１において、カメラ１００は、サーバ装置１３０から新ファームウェアのダウンロードを開始する。次に、Ｓ９０２において、端末装置１１０は、ダウンロードの進捗状況を確認する。次に、Ｓ９０３において、端末装置１１０は、ＢＬＥ通信により、ダウンロードの進捗状況をカメラ１００に送信する。次に、Ｓ９０４において、端末装置１１０は、ダウンロードの進捗状況を表示部１１３に表示するよう制御する。Ｓ９０４の処理により、端末装置１１０の表示部１１３には、図６（ｂ）の進捗画面６０２が表示される。
【手続補正８】
【補正対象書類名】明細書
【補正対象項目名】００５７
【補正方法】変更
【補正の内容】
【００５７】
一方、カメラ１００は、Ｓ９０３でダウンロードの進捗状況を受信すると、Ｓ９０７において、ダウンロードの進捗状況を表示部１０３に表示するよう制御する。次に、Ｓ９０８において、カメラ１００は、端末装置１１０から完了通知を受信したか否かを確認する。カメラ１００は、完了通知を受信しなかったと判断した場合には（Ｓ９０８でＮｏ）、処理をＳ９０３へ進める。カメラ１００は、完了通知を受信したと判断した場合には（Ｓ９０８でＹｅｓ）、進捗状況の表示を終了し、処理をＳ９０９へ進める。